(57)【要約】【課題】画面を大型にでき、かつスクリーンの周縁部のフレーム領域を省略可能なプロジェクタを提供すること。【解決手段】画像信号に応じて変調された光を供給する投写部１０１と、投写部１０１からの光を角度変換して所定方向へ導く角度変換部１１２を投写部１０１からの光の入射側に備えるスクリーン１１０と、スクリーン１１０を固定するスクリーン固定部１０７を備える筐体１０３と、を有し、スクリーン固定部１０７は、スクリーン１１０の周縁部のうち投写部１０１側の面と接合することによってスクリーン１１０を固定し、スクリーン１１０は、投写部１０１からの光を周縁部へ入射させ、さらに所定方向へ導くように構成される。【選択図】      図１
2006113163.tif 000002
【特許請求の範囲】
【請求項１】
画像信号に応じて変調された光を供給する投写部と、
前記投写部からの光を角度変換して所定方向へ導く角度変換部を前記投写部からの光の入射側に備えるスクリーンと、
前記スクリーンを固定するスクリーン固定部を備える筐体と、を有し、
前記スクリーン固定部は、前記スクリーンの周縁部のうち前記投写部側の面と接合することによって前記スクリーンを固定し、
前記スクリーンは、前記投写部からの光を前記周縁部へ入射させ、さらに前記所定方向へ導くように構成されることを特徴とするプロジェクタ。
【請求項２】
前記角度変換部は、屈折により前記投写部からの光を角度変換するフレネルレンズであって、
前記スクリーンは、前記投写部からの光を拡散させる拡散層を有し、
前記フレネルレンズは、前記スクリーンのうちの前記周縁部以外の部分に設けられ、
前記拡散層は、前記周縁部へ入射した前記投写部からの光を前記所定方向へ屈折することを特徴とする請求項１に記載のプロジェクタ。
【請求項３】
前記角度変換部は、屈折により前記投写部からの光を角度変換するフレネルレンズであって、
前記スクリーンは、前記投写部からの光を拡散させるレンチキュラーシートを有し、
前記フレネルレンズは、前記スクリーンのうちの前記周縁部以外の部分に設けられ、
前記レンチキュラーシートは、前記周縁部へ入射した前記投写部からの光を前記所定方向へ屈折することを特徴とする請求項１に記載のプロジェクタ。
【請求項４】
前記角度変換部は、屈折により前記投写部からの光を角度変換するフレネルレンズであって、
前記フレネルレンズは、前記スクリーンの前記周縁部及び前記周縁部以外の部分に設けられ、前記周縁部へ入射した前記投写部からの光を前記所定方向へ屈折することを特徴とする請求項１に記載のプロジェクタ。
【請求項５】
前記投写部は、前記スクリーンにおける光の出射位置を補正するように前記画像信号を変換する画像信号変換部を有することを特徴とする請求項１〜４のいずれか一項に記載のプロジェクタ。
【請求項６】
前記投写部と前記周縁部との間の光路中に、前記周縁部における光の出射位置を補正するように前記投写部からの光の進行方向を変換する光路変換光学系を有することを特徴とする請求項１〜４のいずれか一項に記載のプロジェクタ。
【発明の詳細な説明】
【技術分野】
【０００１】
本発明は、プロジェクタ、特に、画像信号に応じて変調された光を透過する透過型スクリーンを備えたプロジェクタの技術に関する。
【背景技術】
【０００２】
従来、大画面を有するディスプレイとして、液晶ディスプレイやプラズマディスプレイが用いられている。また、近年、スクリーンの一方の面に光を供給し、スクリーンの他方の面から出射される光を観察することで画像を観賞する、いわゆるリアプロジェクタの普及が拡大している。リアプロジェクタは、画像信号に応じた光を透過するスクリーンを筐体の一面に設けて構成される。液晶ディスプレイやプラズマディスプレイは、画素ごとに駆動回路や配線を設けるため、画面が大型になるにつれて構造の複雑化や歩留まりの低下を引き起こし易くなる。このため、液晶ディスプレイやプラズマディスプレイは、画面が大型になるにつれて価格が高騰してしまう。これに対して、リアプロジェクタは画像信号に応じた光をスクリーンに投写する構成であることから、液晶ディスプレイやプラズマディスプレイと比較して、画面を容易に大型化できると考えられる。また、リアプロジェクタは、液晶ディスプレイやプラズマディスプレイに比較して低消費電力でかつ軽量にできる上、低価格である点が優れている。このため、大画面を有するディスプレイとして、リアプロジェクタは好適であると考えられる。
【０００３】
液晶ディスプレイやプラズマディスプレイは、駆動回路や配線等の配置や保護の必要上、画面の周縁部に、画像が表示されないフレーム領域が形成される。これに対して、リアプロジェクタはスクリーンに駆動回路や配線を置く必要がないことから、フレーム領域を省略することが可能であると考えられる。フレーム領域を省略できると、小型な筐体であっても大型な画像を表示でき、かつフレーム領域の存在によってもたらされる閉塞感や異物感を大幅に低減できる。プロジェクタのスクリーンにおいて、非表示部であるフレーム領域の発生を防止するための技術は、例えば、特許文献１に提案されている。
【０００４】
【特許文献１】特開平５−２１０１６６号公報
【発明の開示】
【発明が解決しようとする課題】
【０００５】
特許文献１では、複数の投写型表示装置を組み合わせることで画面を大型化することとしているが、安価な構成で大画面を実現するためには単独の表示装置を用いることが望まれる。通常、リアプロジェクタは、スクリーンに対して斜め方向から光を投写することで、筐体の薄型化を図っている。これに対して、特許文献１に提案されるプロジェクタには、投写光学系からの光を垂直に入射させるような凹面部が設けられる。このため、スクリーンに対して斜め方向から光を投写するリアプロジェクタに特許文献１の技術をそのまま適用する場合、凹面部を大幅に厚くする必要が生じる。リアプロジェクタは、スクリーンが大型になるほど、スクリーンの垂線に対して大きく傾いた位置から光を投写することとなる。そのため、大画面を実現するために、リアプロジェクタは、厚くて重いスクリーンを設けなければならないことになる。このように、リアプロジェクタにおいてスクリーンの周縁部のフレーム領域を省略する場合、特許文献１の技術をそのまま適用することは困難であるという問題が生じる。本発明は、上述の問題に鑑みてなされたものであり、画面を大型にでき、かつスクリーンの周縁部のフレーム領域を省略可能なプロジェクタを提供することを目的とする。
【課題を解決するための手段】
【０００６】
上述した課題を解決し、目的を達成するために、本発明によれば、画像信号に応じて変調された光を供給する投写部と、投写部からの光を角度変換して所定方向へ導く角度変換部を投写部からの光の入射側に備えるスクリーンと、スクリーンを固定するスクリーン固定部を備える筐体と、を有し、スクリーン固定部は、スクリーンの周縁部のうち投写部側の面と接合することによってスクリーンを固定し、スクリーンは、投写部からの光を周縁部へ入射させ、さらに所定方向へ導くように構成されることを特徴とするプロジェクタを提供することができる。
【０００７】
スクリーンの投写部側の面とスクリーン固定部とを接合することによりスクリーンを固定するため、プロジェクタは、観賞者側の面にフレーム領域を形成しないようにスクリーンを設ける構成にできる。スクリーンは、投写部からの光を周縁部へ入射させ、さらに所定方向である観賞者の方向へ導くように構成されている。このため、プロジェクタは、スクリーン固定部と接合しているスクリーンの周縁部からも、観賞者の方向へ光を進行させることができる。スクリーンの周縁部からも観賞者の方向へ光を進行させることから、観賞者にフレーム領域を認識させずに画像を観賞させることが可能となる。プロジェクタのスクリーンは、投写部からの光の入射側に角度変換部を設ける。スクリーンに対して斜め方向から光を投写するリアプロジェクタであっても、薄型の角度変換部を用いることが可能である。このため、特に、大画面のプロジェクタであっても薄型で軽量なスクリーンを用いることができる。さらに、角度変換部を筐体の内部側に設ける構成とすることで、外的要因等から角度変換部を保護できる。このため、角度変換部の固定を容易に行うことが可能となる。これにより、画面を大型にでき、かつスクリーンの周縁部のフレーム領域を省略可能なプロジェクタを得られる。
【０００８】
また、本発明の好ましい態様によれば、角度変換部は、屈折により投写部からの光を角度変換するフレネルレンズであって、スクリーンは、投写部からの光を拡散させる拡散層を有し、フレネルレンズは、スクリーンのうちの周縁部以外の部分に設けられ、拡散層は、周縁部へ入射した投写部からの光を所定方向へ屈折することが望ましい。スクリーンの周縁部以外の部分へ入射した光は、フレネルレンズ及び拡散層を透過した後、所定方向である観賞者の方向へ進行する。これに対して、スクリーンの周縁部へ入射した光は、フレネルレンズへ入射せずそのまま拡散層へ入射する。スクリーンの周縁部へ入射した光は、拡散層によって、観賞者の方向へ屈折する。これにより、投写部からの光を周縁部へ入射させ、さらに観賞者の方向へ導くことができる。また、角度変換部としてフレネルレンズを用いることにより、スクリーンを薄型にすることができる。
【０００９】
また、本発明の好ましい態様によれば、角度変換部は、屈折により投写部からの光を角度変換するフレネルレンズであって、スクリーンは、投写部からの光を拡散させるレンチキュラーシートを有し、フレネルレンズは、スクリーンのうちの周縁部以外の部分に設けられ、レンチキュラーシートは、周縁部へ入射した投写部からの光を所定方向へ屈折することが望ましい。スクリーンの周縁部以外の部分へ入射した光は、フレネルレンズ及びレンチキュラーシートを透過した後、所定方向である観賞者の方向へ進行する。これに対して、スクリーンの周縁部へ入射した光は、フレネルレンズへ入射せずそのままレンチキュラーシートへ入射する。スクリーンの周縁部へ入射した光は、レンチキュラーシートによって、観賞者の方向へ屈折する。これにより、投写部からの光を周縁部へ入射させ、さらに観賞者の方向へ導くことができる。また、角度変換部としてフレネルレンズを用いることにより、スクリーンを薄型にすることができる。
【００１０】
また、本発明の好ましい態様としては、角度変換部は、屈折により投写部からの光を角度変換するフレネルレンズであって、フレネルレンズは、スクリーンの周縁部及び周縁部以外の部分に設けられ、周縁部へ入射した投写部からの光を所定方向へ屈折することが望ましい。スクリーンの周縁部以外の部分へ入射した光は、フレネルレンズを透過した後、所定方向である観賞者の方向へ進行する。スクリーンの周縁部へ入射した光も、フレネルレンズによって、観賞者の方向へ屈折する。これにより、投写部からの光を周縁部へ入射させ、さらに観賞者の方向へ導くことができる。また、角度変換部としてフレネルレンズを用いることにより、スクリーンを薄型にすることができる。
【００１１】
また、本発明の好ましい態様としては、投写部は、スクリーンにおける光の出射位置を補正するように画像信号を変換する画像信号変換部を有することが望ましい。投写部からの光をスクリーンの周縁部へ導く構成とすると、スクリーンの周縁部において画像の歪みを生じる場合がある。画像変換部における画像信号の変換によってスクリーンでの光の出射位置を補正することで、スクリーンの周縁部での画像の歪みを低減することができる。これにより、スクリーンの周縁部における画像の歪みを低減し、高品質な画像を得ることができる。
【００１２】
また、本発明の好ましい態様としては、投写部と周縁部との間の光路中に、周縁部における光の出射位置を補正するように投写部からの光の進行方向を変換する光路変換光学系を有することが望ましい。投写部からの光をスクリーンの周縁部へ導く構成とすると、スクリーンの周縁部において画像の歪みを生じる場合がある。光路変換光学系での光の進行方向を変換によってスクリーンでの光の出射位置を補正することで、スクリーンの周縁部での画像の歪みを低減することができる。これにより、スクリーンの周縁部において画像の歪みを低減し、高品質な画像を得ることができる。
【発明を実施するための最良の形態】
【００１３】
以下に図面を参照して、本発明の実施例を詳細に説明する。
【実施例１】
【００１４】
図１は、本発明の実施例１に係るプロジェクタ１００の概略構成を示す。プロジェクタ１００は、スクリーン１１０の一方の面に光を投写し、スクリーン１１０の他方の面から出射される光を観察することで画像を観賞する、いわゆるリアプロジェクタである。プロジェクタ１００は、投写部１０１を筐体１０３の内部に収納している。投写部１０１は、画像信号に応じて変調された光を供給する。投写部１０１は、例えば、空間光変調装置である透過型液晶表示装置を用いて、光源からの光を画像信号に応じて変調する。投写レンズ１０２は、空間光変調装置で変調された光を反射部１０５の方向へ投写する。反射部１０５の方向へ投写された光は、反射部１０５からスクリーン１１０の方向へ反射する。
【００１５】
スクリーン１１０は、筐体１０３の所定の一面に設けられている。スクリーン１１０は、画像信号に応じて変調された投写部１０１からの光を透過させる透過型スクリーンである。スクリーン１１０は、角度変換部であるフレネルレンズ１１２を、投写部１０１からの光の入射側に備えている。フレネルレンズ１１２は、スクリーン１１０のうちの周縁部以外の部分に設けられている。フレネルレンズ１１２は、投写部１０１からの光を屈折により角度変換して所定方向である観賞者の方向へ導く。スクリーン１１０は、階段状に設けられたフレネルレンズ１１２のレンズ面を、投写部１０１からの光の入射側に向けて配置している。フレネルレンズ１１２は、階段状のレンズ面を、レンチキュラーシート１１４の側に向けて設けても良い。
【００１６】
スクリーン１１０には、投写部１０１側から順に、フレネルレンズ１１２、レンチキュラーシート１１４及び拡散層１１６が設けられている。観賞者は、スクリーン１１０から出射する光を観察することで画像を観賞する。レンチキュラーシート１１４及び拡散層１１６は、投写部１０１からの光を拡散させる。プロジェクタ１００は、レンチキュラーシート１１４及び拡散層１１６で投写部１０１からの光を拡散することで、広視野角にすることができる。スクリーン１１０は、筐体１０３のスクリーン固定部１０７に固定されている。
【００１７】
レンチキュラーシート１１４は、レンチキュラーレンズを配列して構成されている。レンチキュラーシート１１４は、配列するレンチキュラーレンズの形状に応じて、Ｙ方向、Ｘ方向、又はその両方向について光を拡散する。拡散層１１６としては、例えば、透明部材に、透明部材とは屈折率が異なる微粒子を含有させたシートを用いることができる。また、拡散層１１６は、規則的な形状の光学素子をアレイ状に配列した光学素子アレイや、表面に不規則な形状の凹凸を施した構造体を用いても良い。
【００１８】
ここで、本発明との比較として、図２及び図３を用いて、従来の一般的なプロジェクタの構成について説明する。図２は、従来のプロジェクタにおける筐体２０３とスクリーン２１０との構成であって、筐体２０３の上面を形成する天板とスクリーン２１０との接合部の構成を示す。筐体２０３のスクリーン固定部２０７は、スクリーン２１０の側面と接合することによってスクリーン２１０を固定している。また、スクリーン固定部２０７は、スクリーン２１０を構成するフレネルレンズ２１２、レンチキュラーシート２１４及び拡散層２１６の全てを固定している。スクリーン固定部２０７とスクリーン２１０の側面とを接合させると、プロジェクタの観賞者側のＸＹ平面には、画像が表示されないフレーム部２０４が必然的に形成されることとなる。このようなフレーム部２０４は、筐体２０３の天板とスクリーン２１０との接合部のみならず、筐体２０３の側面を形成する側板とスクリーン２１０との接合部にも形成される。このようにして、従来のプロジェクタには、図３の斜視図にて斜線を付して示すように、スクリーン２１０の輪郭に沿ってフレーム部２０４が形成される。
【００１９】
図４は、本発明のプロジェクタ１００における筐体１０３とスクリーン１１０との構成であって、筐体１０３の上面を形成する天板とスクリーン１１０との接合部の構成を示す。筐体１０３の上面を形成する天板のうちＸＹ平面に略平行な面に、スクリーン固定部１０７が形成されている。スクリーン固定部１０７は、スクリーン１１０の周縁部のうち、投写部１０１側の面と接合することによってスクリーン１１０を固定している。なお、スクリーン固定部１０７におけるスクリーン１１０の固定には、接着材による接着や、ねじによる固定、はめ込み構造を用いた固定など、従来用いられている構成を用いることができる（例えば、特開平１０−４２２３０号公報参照）。
【００２０】
フレネルレンズ１１２は、スクリーン１１０の周縁部を除いた部分にのみ設けられている。スクリーン１１０の周縁部にはフレネルレンズ１１２が設けられていないことから、スクリーン固定部１０７は、レンチキュラーシート１１４と接合している。また、拡散層１１６は、屈折部４０１を有する。屈折部４０１は、拡散層１１６の出射面のうちスクリーン固定部１０７からプラスＺ方向へ進行した部分を曲面状に加工することによって、形成されている。屈折部４０１については後述する。
【００２１】
スクリーン固定部１０７とスクリーン１１０の投写部１０１側の面とを接合させるため、筐体１０３の天板を完全にスクリーン１１０で覆い隠すことが可能となる。本発明のプロジェクタ１００は、筐体１０３の側面を形成する側板とスクリーン１１０との接合部についても、筐体１０３の天板とスクリーン１１０との接合部と同様に形成されている。このようにして、プロジェクタ１００は、図５の斜視図に示すように、観賞者側のＸＹ平面にフレーム部を形成しないようにスクリーン１１０を設ける構成にできる。
【００２２】
図６は、スクリーン１１０を透過する光の振る舞いを説明するものである。投写部１０１からの光のうちスクリーン１１０の周縁部以外の部分に進行する光は、フレネルレンズ１１２に入射する。フレネルレンズ１１２に入射した光は、フレネルレンズ１１２のレンズ面で屈折して、観賞者の方向へ進行する。これに対して、投写部１０１の光のうちスクリーン１１０の周縁部に進行する光は、レンチキュラーシート１１４及び拡散層１１６を透過する。
【００２３】
スクリーン１１０の周縁部を進行する光は、拡散層１１６に設けられた屈折部４０１に入射する。屈折部４０１に入射した光は、屈折部４０１のレンズ作用により観賞者の方向へ屈折する。屈折部４０１を設けることにより、拡散層１１６は、スクリーン１１０の周縁部へ入射した投写部１０１からの光を観賞者の方向へ屈折する。かかる構成により、スクリーン１１０は、投写部１０１からの光を周縁部へ入射させ、さらに観賞者の方向へ導くことができる。なお、スクリーン１１０の周縁部へ進行する光を遮らないように、フレネルレンズ１１２の外縁部分は、スクリーン１１０の周縁部へ進行する光の角度に合わせて斜めに加工されている。
【００２４】
このように、スクリーン１１０は、投写部１０１からの光を周縁部へ入射させ、さらに所定方向である観賞者の方向へ導くように構成されている。このため、プロジェクタ１００は、スクリーン固定部１０７と接合しているスクリーン１１０の周縁部からも、観賞者の方向へ光を進行させることができる。スクリーン１１０の周縁部からも観賞者の方向へ光を進行させることから、観賞者にフレーム領域を認識させずに画像を観賞させることが可能となる。
【００２５】
プロジェクタ１００のスクリーン１１０は、投写部１０１からの光の入射側にフレネルレンズ１１２を設ける。フレネルレンズ１１２を用いることにより、スクリーン１１０を薄型にすることができる。このため、特に、大画面のプロジェクタ１００であっても薄型で軽量なスクリーンを用いることができる。さらに、フレネルレンズ１１２を筐体１０３の内部側に設ける構成とすることで、外的要因等からフレネルレンズ１１２を保護できる。このため、フレネルレンズ１１２の固定を容易に行うことが可能となる。これにより、画面を大型にでき、かつスクリーン１１０の周縁部のフレーム領域を省略できるという効果を奏する。
【００２６】
プロジェクタ１００は、フレーム領域を省略可能であるから、小型な筐体であっても大型な画像を表示でき、かつフレーム領域の存在によってもたらされる閉塞感や異物感を大幅に低減できる。例えば、フレームレスのスクリーン１１０において、プロジェクタ１００を配置する位置の背景と同じ背景を用いて画像を表示すると、あたかもその背景に映像が浮かび上がって見えるような効果を得ることも可能である。このように、プロジェクタ１００は、フレーム領域を省略することで新たな付加価値を得ることができると考えられる。液晶ディスプレイやプラズマディスプレイは、駆動回路や配線等の配置や保護の必要上、画面の輪郭に沿って、画像が表示されないフレーム領域が形成される。このため、フレーム領域を省略できるのはプロジェクタ１００に特有の利点であって、プロジェクタ１００の価値を高めるものと考えることができる。
【００２７】
なお、角度変換部は、投写部１０１からの光を観賞者の方向へ角度変換することが可能であれば良く、フレネルレンズ１１２を用いる構成に限られない。例えば、フレネルレンズ１１２に代えて、マイクロレンズアレイを用いても良い。また、スクリーン１１０は、レンチキュラーシート１１４と拡散層１１６との双方を設ける構成に限られない。例えば、レンチキュラーシート１１４により光を十分に拡散させることが可能であれば、拡散層１１６を省略することとしても良い。また、視野角を特に広げる必要が無い場合は、レンチキュラーシート１１４を省略することとしても良い。スクリーン１１０は、外光の反射を低減するための光吸収層やスクリーン１１０を保護する保護層をさらに設ける構成としても良い。拡散層１１６を省略する場合、保護層や接着層に拡散材を分散させて拡散機能を持たせることとしても良い。
【実施例２】
【００２８】
図７は、本発明の実施例２に係るプロジェクタのうち、スクリーン７１０の周縁部近傍の概略構成を示す。上記実施例１のプロジェクタ１００と同一の部分には同一の符号を付し、重複する説明は省略する。本実施例は、レンチキュラーシート７１４に屈折部７０１が設けられていることを特徴とする。屈折部７０１は、レンチキュラーシート７１４の出射面のうちスクリーン固定部１０７からプラスＺ方向へ進行した部分を曲面状に加工することによって、形成されている。これに対して、拡散層７１６の出射面には、屈折部は設けられていない。
【００２９】
スクリーン７１０の周縁部を進行する光は、レンチキュラーシート７１４に設けられた屈折部７０１に入射する。屈折部７０１に入射した光は、屈折部７０１のレンズ作用により観賞者の方向へ屈折する。屈折部７０１を設けることにより、レンチキュラーシート７１４は、スクリーン７１０の周縁部へ入射した投写部１０１からの光を観賞者の方向へ屈折する。かかる構成により、スクリーン７１０は、上記実施例１と同様に、投写部１０１からの光を周縁部へ入射させ、さらに観賞者の方向へ導くことができる。
【実施例３】
【００３０】
図８は、本発明の実施例３に係るプロジェクタのうち、スクリーン８１０の周縁部近傍の概略構成を示す。上記実施例１と同一の部分には同一の符号を付し、重複する説明は省略する。本実施例は、スクリーン８１０の周縁部及び周縁部以外の部分にフレネルレンズ８１２が設けられていることを特徴とする。フレネルレンズ８１２は、スクリーン８１０の周縁部以外の部分については、上記実施例１のフレネルレンズ１１２と同様に機能する。
【００３１】
スクリーン８１０の周縁部へ入射した光も、フレネルレンズ８１２に入射する。フレネルレンズ８１２は、スクリーン８１０の周縁部以外の部分へ入射した光と同様に、スクリーン８１０の周縁部へ入射した光についても、観賞者の方向へ屈折する。本実施例において、スクリーン固定部８０７は、スクリーン８１０の周縁部へ入射する光の角度に合わせて斜めに加工されている。スクリーン固定部８０７を斜めに加工することによって、フレネルレンズ８１２の端にまで光を入射させることができる。かかる構成により、スクリーン８１０は、上記実施例１と同様に、投写部１０１からの光を周縁部へ入射させ、さらに観賞者の方向へ導くことができる。
【００３２】
図９は、本実施例の変形例に係るプロジェクタのうち、スクリーン９１０の周縁部近傍の概略構成を示す。本変形例のスクリーン９１０は、階段状に設けられたフレネルレンズ９１２のレンズ面を、レンチキュラーシート１１４の側に向けて配置している。この場合、上記実施例１と同様に、ＸＹ平面に略平行なスクリーン固定部１０７を用いても、投写部１０１からの光を周縁部へ入射させることができる。
【００３３】
実施例１〜３の構成は、いずれも投写部１０１からの光をスクリーンの周縁部へ入射させ、さらに観賞者の方向へ導くものである。これらの構成は、いずれも、スクリーン固定部からプラスＺ側へシフトした位置へ光を入射させ、かつスクリーン固定部からプラスＺ側へシフトした位置で観賞者の方向へ光を屈折している。このため、本発明のプロジェクタは、スクリーン固定部からプラスＺ側へシフトした位置へ光を入射させ、かつスクリーン固定部からプラスＺ側へシフトした位置で観賞者の方向へ光を屈折する構成であれば良く、各実施例の構成には限られない。また、実施例１〜３の構成は、それぞれ単独で用いるほか、組み合わせて用いることとしても良い。
【実施例４】
【００３４】
図１０は、本発明の実施例４に係るプロジェクタの特徴的部分である画像信号変換部１０１０のブロック構成を示す。上記実施例１と重複する説明は省略する。本実施例のプロジェクタは、図１に示す実施例１のプロジェクタ１００に画像信号変換部１０１０を追加したものである。画像信号変換部１０１０は、スクリーン１１０における光の出射位置を補正するように画像信号を変換する。画像信号変換部１０１０は、投写部１０１に設けられている。
【００３５】
図１１は、スクリーン１１０の周縁部のレンチキュラーシート１１４及び拡散層１１６を透過する光の振る舞いを説明するものである。投写部１０１から略等間隔でスクリーン１１０の周縁部へ入射した光は、屈折部４０１での屈折により、プラスＹ方向にいくに従い間隔が短くなってスクリーン１１０から出射される。このため、スクリーン１１０には、周縁部で圧縮された画像が表示されてしまう。
【００３６】
図１０に戻って、画像信号変換部１０１０は、画像信号分離部１００１、画像伸長部１００２及び画像信号合成部１００３を有する。投写部１０１に入力された画像信号は、画像信号変換部１０１０のうち画像信号分離部１００１に入力される。画像信号分離部１００１は、画像信号のうちスクリーン１１０の周縁部に表示される画像を形成する信号を分離する。スクリーン１１０の周縁部に表示される画像を形成する信号は、次に画像伸長部１００２に入力される。画像伸長部１００２は、スクリーン１１０の周縁部の画像を、Ｙ方向について引き伸ばすように信号を変換する。画像信号合成部１００３は、画像信号のうちスクリーン１１０の周縁部以外の部分に表示される画像を形成する信号と、画像伸長部１００２の出力とを合成する。そして、投写部１０１の空間光変調装置は、画像信号合成部１００３からの出力に応じて駆動する。
【００３７】
スクリーン１１０の周縁部において画像を引き伸ばすように補正された光は、スクリーン１１０の周縁部において圧縮される。画像信号の変換による画像の引き伸ばしとスクリーン１１０での画像の圧縮とは互いに相殺され、画像信号に応じた画像がスクリーン１１０に表示される。本実施例のプロジェクタは、このようにしてスクリーン１１０の周縁部における光の出射位置を補正し、画像の歪みを低減することができる。さらに、スクリーン１１０の周縁部のうち筐体１０３の側板に近い部分については、Ｘ方向についての圧縮を低減するように画像信号を変換する。このようにして、スクリーン１１０の周縁部全体について、画像の歪みを低減することができる。これにより、スクリーン１１０の周縁部における画像の歪みを低減し、高品質な画像を得られるという効果を奏する。
【実施例５】
【００３８】
図１２は、本発明の実施例５に係るプロジェクタの特徴的部分を示すものであって、スクリーン１１０の周縁部近傍の構成を説明するものである。上記実施例１と同一の部分には同一の符号を付し、重複する説明は省略する。本実施例のプロジェクタは、図１に示す実施例１のプロジェクタ１００の構成に、光路変換光学系である凹レンズ１２０１を追加したものである。凹レンズ１２０１は、レンチキュラーシート１１４の入射側であって、投写部１０１と、スクリーン１１０の周縁部との間の光路中に設けられている。凹レンズ１２０１は、凹面をスクリーン１１０側に向けて配置されている。なお、凹レンズ１２０１は、図示するような片凹レンズに限らず両凹レンズを用いても良い。
【００３９】
反射部１０５で反射した後スクリーン１１０の周縁部の方向へ進行した光は、凹レンズ１２０１に入射する。凹レンズ１２０１は、反射部１０５からの光をＹ方向へ拡散するように屈折する。凹レンズ１２０１を出射した光は、屈折部４０１で屈折する。ここで、上記実施例４で説明したように、屈折部４０１で屈折した光は、プラスＹ方向にいくに従い圧縮されて、観賞者の方向へ進行する。投写部１０１からの光について、凹レンズ１２０１での拡散と屈折部４０１での圧縮とは互いに相殺され、画像信号に応じた画像がスクリーン１１０に表示される。
【００４０】
本実施例のプロジェクタは、このようにしてスクリーン１１０の周縁部における光の出射位置を補正し、画像の歪みを低減することができる。さらに、スクリーン１１０の周縁部のうち筐体１０３の側板に近い部分については、Ｘ方向についての圧縮を低減するように画像信号を変換する。このようにして、スクリーン１１０の周縁部全体について、画像の歪みを低減することができる。これにより、スクリーン１１０の周縁部における画像の歪みを低減し、高品質な画像を得られるという効果を奏する。
【００４１】
光路変換光学系としては、凹レンズに限らず、光を拡散可能なあらゆる構成を用いることができる。例えば、光路変換光学系として、反射部１０５（図１参照）の周縁部に凹面を形成したものを用いることもできる。さらに、光路変換光学系は、単独の光学素子により構成する場合に限らず、複数の光学素子により構成することとしても良い。
【００４２】
図１３は、本実施例の変形例に係るプロジェクタの特徴的部分を示すものであって、スクリーン１１０の周縁部近傍の概略構成を説明するものである。本変形例のプロジェクタは、図７に示す実施例２の構成に、光路変換光学系である凸レンズ１３０１と凹レンズ１３０２とを追加したものである。凸レンズ１３０１及び凹レンズ１３０２は、投写部１０１と、スクリーン７１０の周縁部との間の光路中に設けられている。
【００４３】
反射部１０５で反射した後スクリーン１１０の周縁部の方向へ進行する光は、凸レンズ１３０１に入射する。凸レンズ１３０１は、凸面を凹レンズ１３０２側に向けて、投写部１０１と凹レンズ１３０２との間の光路中に配置されている。凸レンズ１３０１は、反射部１０５からの光をＹ方向について収縮するように屈折する。凸レンズ１３０１を出射した光は、次に凹レンズ１３０２に入射する。凹レンズ１３０２は、凹面を凸レンズ１３０１側に向けて、スクリーン固定部１０７とスクリーン７１０との間に設けられている。凹レンズ１３０２は、凸レンズ１３０１からの光をＹ方向について拡散するように屈折する。
【００４４】
凹レンズ１３０２を出射した光は、屈折部７０１で屈折する。上記の屈折部４０１と同様に、屈折部７０１で屈折した光は、プラスＹ方向にいくに従い圧縮されて観賞者の方向へ進行する。投写部１０１からの光について、凸レンズ１３０１での収縮、凹レンズ１３０２での拡散、及び屈折部７０１での圧縮がいずれも相殺され、画像信号に応じた画像がスクリーン１１０に表示される。なお、凸レンズ１３０１及び凹レンズ１３０２を設ける位置は上述の光路中であれば良く、図示する位置に限られない。
【００４５】
本発明のプロジェクタは、スクリーン７１０に対して斜め方向から光を入射させることで、スクリーン７１０の周縁部にも光を入射させることができる。本変形例は凸レンズ１３０１で投写部１０１からの光を収縮することにより、画像信号に応じた光が筐体１０３で遮られることを防止し、スクリーン７１０の周縁部から観賞者の方向へ光を進行させることができる。さらに、凹レンズ１３０２を設けることで、画像の歪みを低減することができる。なお、実施例４及び５の構成は、それぞれ単独で用いるほか、組み合わせて用いることとしても良い。
【００４６】
本発明のプロジェクタは、空間光変調装置として３つの透過型液晶表示装置や単独の透過型液晶表示装置、反射型液晶表示装置を用いることができるほか、ティルトミラーデバイス等を用いても良い。また、プロジェクタに用いる光源には、超高圧水銀ランプや発光ダイオード素子（ＬＥＤ）等の固体発光素子、レーザ光源等を用いることができる。
【産業上の利用可能性】
【００４７】
以上のように、本発明に係るプロジェクタは、プレゼンテーションや動画を表示する場合に有用である。
【図面の簡単な説明】
【００４８】
【図１】本発明の実施例１に係るプロジェクタの概略構成図。
【図２】従来のプロジェクタの構成の説明図。
【図３】従来のプロジェクタの斜視図。
【図４】筐体とスクリーンとの接合部の構成図。
【図５】プロジェクタの斜視図。
【図６】スクリーンを透過する光の振る舞いの説明図。
【図７】本発明の実施例２に係るプロジェクタの概略構成図。
【図８】本発明の実施例３に係るプロジェクタの概略構成図。
【図９】実施例３の変形例に係るプロジェクタの概略構成図。
【図１０】画像信号変換部のブロック構成図。
【図１１】スクリーンの周縁部を透過する光の振る舞いの説明図。
【図１２】本発明の実施例５に係るプロジェクタの概略構成図。
【図１３】実施例５の変形例に係るプロジェクタの概略構成図。
【符号の説明】
【００４９】
１００  プロジェクタ、１０１  投写部、１０２  投写レンズ、１０３  筐体、１０５  反射部、１０７  スクリーン固定部、１１０  スクリーン、１１２  フレネルレンズ、１１４  レンチキュラーシート、１１６  拡散層、２０３  筐体、２０４  フレーム部、２０７  スクリーン固定部、２１０  スクリーン、２１２  フレネルレンズ、２１４  レンチキュラーシート、２１６  拡散層、４０１  屈折部、７０１  屈折部、７１０  スクリーン、７１４  レンチキュラーシート、７１６  拡散層、８０７  スクリーン固定部、８１０  スクリーン、８１２  フレネルレンズ、９１０  スクリーン、９１２  フレネルレンズ、１００１  画像信号分離部、１００２  画像伸長部、１００３  画像信号合成部、１０１０  画像信号変換部、１２０１  凹レンズ、１２０１  光路変換光学系、１３０１  凸レンズ、１３０２  凹レンズ
【図１】
2006113163.tif 000003
【図２】
2006113163.tif 000004
【図３】
2006113163.tif 000005
【図４】
2006113163.tif 000006
【図５】
2006113163.tif 000007
【図６】
2006113163.tif 000008
【図７】
2006113163.tif 000009
【図８】
2006113163.tif 000010
【図９】
2006113163.tif 000011
【図１０】
2006113163.tif 000012
【図１１】
2006113163.tif 000013
【図１２】
2006113163.tif 000014
【図１３】
2006113163.tif 000015